(57)【特許請求の範囲】
【請求項１】
光源と、反射鏡と、レンズと、前記光源とレンズとの間隔を変化させる調整機構と、灯体等からなり、前記調整機構により光軸に沿ってレンズを前後に移動させてフォーカス調整やズーム調整などを行うスポットライトであって、
前記調整機構は、レンズを保持するレンズホルダと、該レンズホルダを前後移動自在に保持する移動ガイド部と、前記レンズホルダの移動方向に沿って形成したラックと、該ラックと噛合し回転しながらレンズホルダと一体に前後移動する歯車と、灯体外面に付設され前記歯車と一体に回転しながら前後移動する操作摘みと、該操作摘みの移動をロックするカム式レバーとを備えてなるスポットライト。
【請求項２】
レンズホルダに保持されたレンズの側方に上記操作摘みが位置し、操作摘みの位置によりレンズ位置を確認できるよう形成した請求項１記載のスポットライト。
【請求項３】
前記灯体が、光源、反射鏡等を収納するランプハウス部と、レンズを収納するレンズ筒部を備えてなり、ランプハウス部を金属材料で成形し、レンズ筒部を耐熱性合成樹脂材料で成形した請求項１または２記載のスポットライト。
【発明の詳細な説明】
【０００１】
【発明の属する技術分野】
本発明は、劇場の舞台やテレビスタジオ等で使用されるスポットライトの改良に関し、特に、レンズを前後に移動させてフォーカス調整やズーム調整などを行う調整機構の改良に関する。
【０００２】
【従来の技術】
従来、スポットライトにおけるフォーカス調整やズーム調整などを行う調整機構として、レンズを保持するレンズホルダを光軸に沿って前後スライド自在に支持すると共に、該レンズホルダと一体にスライドする摘みを灯体外面に設け、該摘みは、レンズホルダに対し螺合するネジ部材で形成し、ネジを締付けた状態でレンズホルダと共に灯体を挟持してその移動をロックし、ネジを緩めた状態でスライドを可能とした構造のものが知られている。
又、図６に示すような、ラックとピニオンを利用した調整機構が存在する。その構成は、調整摘み（図示省略）の回動により一体に回動するピニオン歯車２５に、レンズホルダ２７を取付けたラック２６を噛み合わせ、調整摘みの定位置回動により、ピニオン歯車と噛み合うラックが移動され、その結果、レンズホルダが前後方向に移動するように構成されている。
【０００３】
【発明が解決しようとする課題】
しかし乍ら上記したような従来の調整機構では、ネジを緩めた状態で位置調整した後にネジを締めてレンズ位置を固定するので、ネジを締める際にレンズ位置がずれる可能性がある。
また従来の調整機構は、摘みとレンズホルダが一体にスライドしてレンズ位置が調整されるものなので、微調整が困難であって、作業者が照射面を見ながら位置調整を行う作業になり、微調整に熟練を要するという問題がある。
【０００４】
本発明は上述したような従来事情に鑑みてなされたもので、その目的とする処は、レンズを光軸に沿って前後方向へ移動させてフォーカス調整やズーム調整などを行うに際し、レンズ位置の微調整を容易に行うことができ、且つ調整後のレンズ位置の固定を簡単に行うことができるレンズ位置調整機構を備えた新規なスポットライトを提供することにある。
【０００５】
【課題を解決するための手段】
以上の目的を達成するために、本発明のスポットライトは、レンズを保持するレンズホルダと、該レンズホルダを前後移動自在に保持する移動ガイド部と、前記レンズホルダの移動方向に沿って形成したラックと、該ラックと噛合し回転しながらレンズホルダと一体に前後移動する歯車と、灯体外面に付設され前記歯車と一体に回転しながら前後移動する操作摘みと、該操作摘みの移動をロックするカム式レバーとを備えたレンズ位置調整機構を具備することを要旨とする。
【０００６】
このように構成した場合、カム式レバーをロック解除位置にセットした状態で操作摘みを回転させると、該操作摘みと一体に歯車が回転し、該歯車はラックとの噛合によりレンズホルダの移動方向へ移動し、これによりレンズホルダも一体に前後方向へ移動する。該移動は、歯車とラックの噛合により所定ピッチづつ行なわれるので、従来のスライドタイプに比べ、微調整が容易になる。
また、操作摘みを正方向へ回転させるとレンズホルダは前方へ移動し、操作摘みを逆方向へ回転させるとレンズホルダは後方へ移動するので、従来のスライドタイプのように、不用意に摘みが動いてレンズが逆方向へ移動する虞れが少ない。
また、操作摘みの移動のロックとそのロック解除をカム式レバーによりワンタッチ式で簡単に行えるので、レンズ位置調整作業が片手で行える簡便な作業となると共に、レンズ位置調整後の固定操作時にレンズがずれてしまう虞れが少ない。
【０００７】
また本発明は、前述の構成において、レンズホルダに保持されたレンズの側方に操作摘みを位置させ、該操作摘みの位置によりレンズ位置を確認できるよう形成したことを要旨とする。
【０００８】
このような構成によれば、操作摘みの位置がレンズ位置の目安になるので、別途インジケータなどを設けるような必要が無く、またレンズ移動方向を間違える虞れも少なくなる。
【０００９】
処で、この種の一般的なスポットライトの灯体は、光源、反射鏡等を内蔵するランプハウス部と、レンズを収納するレンズ筒部を有すると共に、そのランプハウス部とレンズ筒部の間にアパーチャ部を有するカッター機構部を備えている。更に、その灯体を支持するための門型の支持アームの両端部が、カッター機構部におけるカッター羽根の操作摘みに干渉しないよう、ランプハウス部に固定されている。
このような構成によると、支持アームによる灯体の支持支点がアパーチャ部の後方に設定される、すなわち、灯体の後方位置に設定されるので、灯体前側（レンズ筒部側）が重くなる。特に焦点距離が長くなった場合は支持バランスが悪くなり、灯体の傾斜角度を調整する際の操作性が悪いという問題がある。
このような問題点を解消するために本発明は、ランプハウス部を金属材料で成形し、レンズ筒部を耐熱性合成樹脂材料で成形したことを要旨とする。
【００１０】
このような構成によれば、レンズ筒部の質量が従来の金属製の場合に比べ軽くなり、支持アームによる支持支点がランプハウス部に設定されても、灯体の支持バランスが従来に比べ改善され、灯体の傾斜角度を調整する際の操作性が向上する。
【００１１】
レンズ筒部を耐熱性合成樹脂材料で成形すると共に、該レンズ筒部の内面に、前述の移動ガイド部とラックをレンズ筒部と一体に成形すると良い。
この場合、レンズ筒部、移動ガイド部、ラックが樹脂材料で一体成形されるので、灯体前側の軽量化が促進される。また、移動ガイド部、金属製ラックなどを製作し、レンズ筒部に取付ける場合に比べて組立が簡単になる。且つ、細かなピッチのモジュールを容易に成形することができる。
【００１２】
レンズ筒部を耐熱性合成樹脂材料で成形すると共に、該レンズ筒部の内面に、前述の移動ガイド部とラックをレンズ筒部と一体に成形し、さらにレンズホルダと操作摘みをレンズ筒部と同質材料により成形すると良い。
この場合、レンズホルダと操作摘みも樹脂成形品となるので、灯体前側の軽量化がさらに促進される。また、レンズホルダ、操作摘みを別材料で成形する場合に比べ、製造の手間が軽減される。
【００１３】
【発明の実施の形態】
以下、本発明に係るスポットライトの実施の形態の一例を図面を参照して説明する。
図１は本例のスポットライトＡの概要を示す簡略断面図で、図中１は灯体、２は光源、３は反射鏡、４ａ，４ｂはレンズ、ａは光源２とレンズ４ａ，４ｂとの間隔を変化させるレンズ位置調整機構、Ｌは光軸を示す。
灯体１は、光源２と反射鏡３を収納するランプハウス部１ａと、レンズ４ａ，４ｂを収納するレンズ筒部１ｂとの間に、アパーチャ部５を通過する光を任意枠形にカットするカッター羽根（不図示）を収容するカッター枠１ｃを備えた構造のもので、ランプハウス部１ａとカッター枠１ｃをアルミニウムなどの金属材料で成形し、レンズ筒部１ｂを耐熱性合成樹脂材料で成形してなる。
【００１４】
本例のレンズ位置調整機構ａは、二枚のレンズ４ａ，４ｂとアパーチャ部５の間隔を変化させてピントの調整を行うフォーカス調整機構であって、レンズ４ａ，４ｂを保持するレンズホルダ１１と、レンズホルダ１１を前後移動自在に保持するガイドレール１２ａ，１２ｂと、レンズホルダ１１の移動方向に沿って形成したラック１３と、ラック１３と噛合する歯車１４と、灯体１の外面に付設され歯車１４と一体に回転しながら前後移動する操作摘み１５と、操作摘み１５の移動をカム式レバー２１によりロックするロック機構２０を備えている。
【００１５】
レンズホルダ１１は、レンズ筒部１ｂと同質の耐熱性合成樹脂材料で一体成形したもので、内周部の前側と後側にレンズを保持する円筒枠部１１ａ，１１ｂを有すると共に、それら両枠部１１ａ，１１ｂの左右外周縁部間にわたって、上下のガイドレール１２ａ，１２ｂ間に前後摺動自在に嵌合する嵌合凸部１１ｃ，１１ｃを連設形成し、さらに円筒枠部１１ａ，１１ｂの内周にレンズ４ａ，４ｂを嵌合保持する溝１１ｄ，１１ｅを形成してなる。
【００１６】
ガイドレール１２ａ，１２ｂは、レンズ筒部１ｂ内にてレンズホルダ１１を、光軸Ｌに沿って前後方向へ移動自在に保持する移動ガイド部であって、レンズ筒部１ｂの内周面の左右位置にて、レンズ筒部１ｂと一体に成形する。
【００１７】
左右のガイドレールのうちのどちらか一方のガイドレールにおける下側のガイドレール１２ｂの上辺部に沿っては、ラック１３を、レンズ筒部１ｂと一体に成形する。
レンズ筒部１ｂにおけるラック１３が形成される側の側面部分には、上下のガイドレール１２ａ，１２ｂの間に、後述する軸１６の前後方向への移動を案内する長孔状のガイド孔１７を形成する。
【００１８】
歯車１４は、ラック１３と噛合し回転しながらレンズホルダ１１の移動方向に沿って前後移動するもので、操作摘み１５の背面に突出する軸１６に回転不能に嵌合挿着し、操作摘み１５と一体に回転するよう形成する。
【００１９】
操作摘み１５は、レンズ筒部１ｂと同質の耐熱性合成樹脂材料で一体成形したもので、回転操作を容易に行えるように所定の厚みを有する円盤状に形成し、その中芯部には、軸１６が摺動自在に挿入される通孔１５ａを設けると共に、正面側の直径に沿う位置にカム式レバー２１が収納される凹部１５ｂを形成してなる。
【００２０】
軸１６は上記通孔１５ａに摺動可能に挿入され、その外端側は凹部１５ｂ内に突出し、内端側はガイド孔１７を通って、上記嵌合凸部１１ｃの中心部分に設けた大径孔１１ｆ内に突出する。そうして、軸１６の外端にはカム式レバー２１の基端部を回動自在に装着し、内端には、上記嵌合凸部１１ｃの内面に接触する係止板２２をビス２３で固定する。軸１６において、嵌合凸部１１ｃとガイド孔１７との間には前記の如く歯車１４が固定状に挿着され、また前記係止板２２と歯車１４の間には、係止板２２を嵌合凸部１１ｃから離間させる方向へ付勢するバネ２４を装填する。
【００２１】
カム式レバー２１は、基端側にカム部２１ａを一体に有し、そのカム部２１ａの偏心回転の中心部を軸１６の外端に回動自在に装着して、カム部２１ａのカム作用により軸１６を外端方向へ引張っりバネ２４の付勢力に抗して係止板２２を嵌合凸部１１ｃに圧接させ、嵌合凸部１１ｃと操作摘み１５でレンズ筒部１ｂを挟持して操作摘み１５，レンズホルダ１１の移動をロックするロック位置（図４中に実線２１で示される位置）と、カム部２１ａのカム作用が働かずバネ２４の付勢力で係止板２２が嵌合凸部１１ｃから離間し、操作摘み１５，レンズホルダ１１の移動が自在となるロック解除位置（図４中に仮想線２１で示される位置）との間を、回動自在に形成する。
【００２２】
なお、図中に符号３０で示す遮蔽機構は、上述したガイド孔１７からの光漏れを防ぐためのもので、複数枚の遮光板を重ねた周知の蛇腹構造のものである。
【００２３】
以上の構成になる本例の調整機構ａによりフォーカス調整を行う場合、まずカム式レバー２１をロック解除位置まで回動し、次に操作摘みを正方向または逆方向へ回転操作すると、これと一体に歯車１４が回転する。歯車１４はラック１３との噛合により所定ピッチづつ、レンズホルダの移動方向に沿って、灯体の前又は後方向へ移動し、これと一体に、操作摘み１５、レンズホルダ１１が前又は後方向へ移動して、レンズ４ａ，４ｂの位置調整がなされる。この際、レンズホルダ１１は、歯車１４とラック１３の噛合により所定ピッチづつ移動するので、レンズ４ａ，４ｂ位置の微調整を容易に行うことができる。
位置調整終了後、カム式レバー２１をロック位置まで回動操作し、レンズ４ａ，４ｂの位置を固定する。
操作摘み１５はレンズ４ａと４ｂの間の側方に位置しレンズ４ａ，４ｂ位置の目安になるので、レンズ４ａ，４ｂを前方向へ移動させれば良いか後方向へ移動させれば良いかがすぐに分かり、調整作業を容易に行うことができる。
【００２４】
また本例では、レンズ筒部１ｂ、レンズホルダ１１、操作摘み１５、ガイドレール１２ａ，１２ｂ、ラック１３などを合成樹脂製としたので、これらを金属製とした場合に比べ、灯体１の前側が軽くなる。よって、ランプハウス部１ａ側に灯体１の支持支点が設定されても、灯体１の支持バランスが良く、特に投光の傾斜角度（チルト角度）を調整する際の操作性が向上する。
【００２５】
なお、本例では前述の如く、レンズ筒部１ｂなどを耐熱合成樹脂製とし、ランプハウス部１ａをアルミニウムなどの金属材料としたが、レンズ筒部１ｂの軽量化という点では、レンズ筒部１ｂをマグネシウム合金、チタン合金などの軽合金材料で成形することも考えられる。
また、本例ではレンズを２枚用いるスポットライトにおけるフォーカス調整について例示したが、本発明はこれに限定されず、レンズの数やタイプは得ようとする照明効果に応じて適宜選択し得、またズーム調整にも対応可能であることは言うまでもない。
【００２６】
【発明の効果】
本発明は以上説明したように構成したので、以下の効果を奏する。
（請求項１）
歯車とラックの噛合によりレンズが所定ピッチづつ前後移動するので、従来のスライドタイプの調整機構に比べ微調整が容易になり、また従来のスライドタイプのように不用意に摘みが動いてしまうこともなく、且つカム式レバーを採用することで、片手操作によりレンズの固定、移動を切り換えることができ、レンズ移動の作業も操作摘みを回転操作するだけの片手操作によるので、熟練を要することなくレンズ位置の調整を簡単且つ正確に行うことができる。
【００２７】
（請求項２）
操作摘みの位置がレンズ位置の目安になり、別途インジケータなどを設ける必要無くレンズ位置を認識でき、レンズ移動方向を間違える虞れも少なくなる等の効果がある。
【００２８】
（請求項３）
レンズ筒部の質量が金属製の場合に比べ軽くなり、支持アームによる支持支点をランプハウス部側に設定しても、灯体の支持バランスが従来に比べ改善され、投光の傾斜角度（チルト角度）を調整する際の操作性が向上する等の効果がある。
【図面の簡単な説明】
【図１】本発明に係るスポットライトの実施形態の一例を示す簡略断面図。
【図２】調整機構を拡大して示す分解斜視図。
【図３】操作摘み部分を拡大して示す側面図。
【図４】図３の（Ｘ）−（Ｘ）線に沿う拡大断面図。
【図５】本発明に係るスポットライトの外観側面図。
【図６】従来のスポットライトのフォーカス調整機構の一例を示す簡略断面図。
【符号の説明】
１：灯体
１ａ：ランプハウス部
１ｂ：レンズ筒部
２：光源
３：反射鏡
４ａ，４ｂ：レンズ
１１：レンズホルダ
１２ａ，１２ｂ：ガイドレール（移動ガイド部）
１３：ラック
１４：歯車
１５：操作摘み
２１：カム式レバー
【図１】
0004458625.tif 000002
【図２】
0004458625.tif 000003
【図３】
0004458625.tif 000004
【図４】
0004458625.tif 000005
【図５】
0004458625.tif 000006
【図６】
0004458625.tif 000007